(57)【要約】【課題】薄型表示装置に設けた鍵状ロック機構を用いて設置台に固定することで転倒防止を図るとともに、鍵状ロック機構に転倒を検知するセンサーを設けて転倒時に薄型表示装置の電源をオフにすること。【解決手段】表示部を支持する支持アームと、支持アームにつながり且つ設置台７０９に対面する支持脚と、支持アーム及び／又は支持脚に設けた転倒防止機構と、を備えた薄型表示装置において、転倒防止機構は、弾性変形する鍵状部７０６と、設置台側に鍵状部を付勢する圧縮バネ７０３と、を有し、支持脚が設置台に不正常に設置されたときに薄型表示装置の電源をオフにする電源センサー７０５を有し、鍵状部７０６と設置台の穴部との係止によって支持脚を設置台にロックする。鍵状部は、放射状に複数の切り欠き部を設けて弾性変形し設置台穴部を通った後にロックする。【選択図】図７
2008256967.tif 000002
【特許請求の範囲】
【請求項１】
表示部を支持する支持アームと、前記支持アームにつながり且つ設置台に対面する支持脚と、前記支持アーム及び／又は支持脚に設けた転倒防止機構と、を備えた薄型表示装置において、
前記転倒防止機構は、弾性変形する鍵状部を先端に有し、前記設置台側に前記鍵状部を付勢する付勢手段を有し、前記支持脚が前記設置台に不正常に設置されたときに前記薄型表示装置の電源をオフにする電源センサーを有し、前記鍵状部と前記設置台の穴部との係わりによって前記支持脚を前記設置台にロックするロック機能を有する
ことを特徴とする薄型表示装置の転倒防止機構。
【請求項２】
請求項１において、
前記転倒防止機構の鍵状部は、放射状に複数の切り欠き部を設けることによって弾性変形し得ることを特徴とする薄型表示装置の転倒防止機構。
【請求項３】
請求項１または２において、
前記電源センサーは、前記鍵状部に対して前記付勢の方向で反対側の頭部に設けられ、前記電源センサーに対向して前記支持アーム又は前記支持脚に他のセンサーが設けられ、
前記付勢手段である圧縮バネが前記鍵状部を前記設置台側に最大限に付勢したとき、前記電源センサーが前記他のセンサーに接触することにより、前記薄型表示装置の電源をオフにする
ことを特徴とする薄型表示装置の転倒防止機構。
【請求項４】
請求項１、２または３において、
前記鍵状部の弾性変形によって縮小して前記設置台の穴部を挿通した後に弾性変形によって拡大した鍵状部は、前記穴部との間で転倒防止のロック機能を果たすものである
ことを特徴とする薄型表示装置の転倒防止機構。
【請求項５】
請求項１、２または３において、
前記転倒防止機構は、前記設置台に穴部が存在しない場合に、前記付勢手段による圧縮によって、前記支持アーム及び／又は支持脚に穿たれた凹部内に格納可能である
ことを特徴とする薄型表示装置の転倒防止機構。
【請求項６】
請求項１または２において、
前記鍵状部、前記付勢手段、前記電源センサからなる転倒防止機構を、前記支持アーム及び／又は支持脚に収容し組み込んでユニット化し、
前記ユニット化した転倒防止機構付き支持アームを表示部に装着する
ことを特徴とする薄型表示装置の転倒防止機構。
【発明の詳細な説明】
【技術分野】
【０００１】
本発明は、液晶ディスプレイやプラズマディスプレイなどの薄型のディスプレイを用いた薄型テレビジョン装置又は薄型モニタ装置などの薄型表示装置の転倒防止装置に関する。
【背景技術】
【０００２】
液晶、ＰＤＰ等のいわゆる薄型のテレビ、モニタ、ディスプレイ等の表示装置は、表示部、表示部を支えるアーム、ベースとなる脚部から一般的に構成される。ただし、表示装置の一部には、支えアームとベース脚が一体となっているものもある。これら一体化したものも含めて、いわゆる薄型のテレビ、モニタ、ディスプレイは、ＣＲＴ（ブラウン管）と比較すると、軽量で薄型であるがために、画面の表示方向ならびに背面方向に転倒する可能性があり、転倒した際に破損してしまうことがある。
【０００３】
上述したような、いわゆる薄型テレビ、モニタ、ディスプレイ等の表示装置の転倒事故に対処する従来技術としては、薄型のテレビ、モニタ、ディスプレイ等の表示装置に設けられたフック部を用い、更に、家屋側にも何らかのフック部を用意して薄型のテレビ、モニタ、ディスプレイ等の表示装置の転倒を防止するものが知られている。
【０００４】
また、表示装置の転倒防止策として、特許文献１や特許文献２に示されているように、薄型表示装置の設置脚内から平行式（例えば、図２を参照）あるいは回転式にスライド脚を設置する構成や、また、特許文献３に示されているように、振動等を受けた際に自動的に転倒防止レバーを突き出すことによって元々の薄型表示装置の設置脚部以外に設置箇所を設けることにより転倒しづらくする構成が提案されている。更に、表示装置の設置場所に表示装置の配線用の穴が用意されている場所において、鍵状のロック機構により設置位置に固定する方法が従来技術として提案されている。
【特許文献１】特開平１０−３３３５９４号公報
【特許文献２】特開２０００−４７５９９号公報
【特許文献３】特開平１１−９３７３号公報
【発明の開示】
【発明が解決しようとする課題】
【０００５】
しかしながら、上記の従来技術に開示されたように、家屋にフック部材を用いた場合の転倒防止機構は外観上で見栄えが悪いという課題がある。また、上記特許文献１や特許文献２で提案されている構成によると、転倒しづらくはなっているが、固定されていないために転倒し得る可能性がある。更に、上記特許文献３で提案されている構成によると、薄型表示装置に外力が加わった際に自動的に転倒防止機構を突出することが提案されているが、構造が非常に複雑な機構であるという課題がある。
【０００６】
また、上述した鍵状のロック機構を設けた転倒防止装置にて設置位置に固定する従来技術では、表示装置の設置位置に穴を設けることができない場合には、それ以前の従来通りの設置方法で固定せざるを得ないこととなってしまい、薄型表示装置は転倒する可能性があり、転倒の際の破損に伴い薄型表示装置の電源が入った状態から火災等が発生する危険がある。
【０００７】
本発明の目的は、薄型表示装置に設けた鍵状ロック機構を用いて設置台に固定することで転倒防止を図るとともに、鍵状ロック機構に転倒を検知するセンサーを設けて転倒時に薄型表示装置の電源をオフにする薄型表示装置を提供することにある。
【課題を解決するための手段】
【０００８】
前記課題を解決するために、本発明は主として次のような構成を採用する。  
表示部を支持する支持アームと、前記支持アームにつながり且つ設置台に対面する支持脚と、前記支持アーム及び／又は支持脚に設けた転倒防止機構と、を備えた薄型表示装置において、前記転倒防止機構は、弾性変形する鍵状部を先端に有し、前記設置台側に前記鍵状部を付勢する付勢手段を有し、前記支持脚が前記設置台に不正常に設置されたときに前記薄型表示装置の電源をオフにする電源センサーを有し、前記鍵状部と前記設置台の穴部との係わりによって前記支持脚を前記設置台にロックするロック機能を有する構成とする。
【０００９】
また、前記薄型表示装置の転倒防止機構において、前記転倒防止機構の鍵状部は、放射状に複数の切り欠き部を設けることによって弾性変形し得る構成とする。更に、前記薄型表示装置の転倒防止機構において、前記電源センサーは、前記鍵状部に対して前記付勢の方向で反対側の頭部に設けられ、前記電源センサーに対向して前記支持アーム又は前記支持脚に他のセンサーが設けられ、前記付勢手段である圧縮バネが前記鍵状部を前記設置台側に最大限に付勢したとき、前記電源センサーが前記他のセンサーに接触することにより、前記薄型表示装置の電源をオフにする構成とする。さらに、薄型表示装置の転倒防止機構において、前記鍵状部の弾性変形によって縮小して前記設置台の穴部を挿通した後に弾性変形によって拡大した鍵状部は、前記穴部との間で転倒防止のロック機能を果たす構成とする。
【発明の効果】
【００１０】
本発明によれば、表示部、表示部を支えるアーム、設置脚を備える液晶やＰＤＰ等の薄型テレビ、モニタ、ディスプレイ等の表示装置を、配線等を通す穴等が設置してあるテレビ台又はシステムラックに設置する際に、表示装置に鍵状のロック機構を設けることにより、設置台への固定が可能となり転倒防止することができる。
【００１１】
また、転倒防止機構において、ロック機構、支持アームにそれぞれ接触式のセンサーを取り付け、支持アームを下方に付勢することにより、支持アームの動きから薄型表示装置の設置前あるいは転倒時を認識することができ、この認識検知によってロック機構が設置位置に触れていない設置前あるいは転倒時には表示装置の電源をオフにして転倒による破損に伴う火災などを防ぐことができる。
【発明を実施するための最良の形態】
【００１２】
本発明の実施形態に係る薄型表示装置の転倒防止装置について、図１〜図８を参照しながら以下詳細に説明する。図１は一般的な薄型表示装置を背面からみた斜視図である。図２は従来技術に関する薄型表示装置の転倒防止機構例を示す図である。図３は本発明の実施形態に係る薄型表示装置の転倒防止機構に関する先行技術を示す図である。図４は本発明の実施形態に係る薄型表示装置の転倒防止機構の構成を示す図である。図５は本実施形態に係る薄型表示装置の転倒防止機構の動作態様を示す図である。図６は本実施形態に関する転倒防止機構がロック箇所に位置決めされたときの状態を示す図である。図７は本実施形態に関する転倒防止機構が天板にロックされたときの状態を示す図である。図８は本実施形態に関する転倒防止機構が天板に直置きで設置されたときの状態を示す図である。
【００１３】
ここで、１００は転倒防止機構取り付け部、１０１，２０１は薄型表示装置表示部背面、１０２，２０２は薄型表示装置表示部支持脚、１０３，２０３は天板、２０４は従来技術の転倒防止機構、３０１，４０１，５０１，６０１，７０１，８０１は薄型表示装置表示部支持アーム、３０２，４０２，５０２，６０２，７０２，８０２は転倒防止ロック機構、３０３，４０３，５０３，６０３，７０３，８０３は圧縮コイルバネ、３０４はストッパ部、３０６，４０６：鍵状部、４０４，５０４，６０４，７０４，８０４は支持アーム側電源センサー、４０５，５０５，６０５，７０５，８０５はロック機構側電源センサー、４０６，５０６，６０６，７０６，８０６：鍵状部、４０７は切り欠き部、４０８，５０８，６０８，７０８，８０８は中央溝部、５１０，６１０，７１０，８１０：バネ止め部、６０９，７０９，８０９：天板、をそれぞれ表す。
【００１４】
まず、薄型表示装置における転倒防止の沿革について概説する。図１に示すように、一般的な薄型表示装置において、地震など外部からの力が加わった場合に設置位置である天板１０３から薄型表示装置の支持脚１０２が浮き上がることによって、薄型表示装置は転倒し得る。そこで、図２に示すように、薄型表示装置の表示部支持脚２０２からスライド脚２０４が引き出される転倒防止ロック機構が既に知られている。
【００１５】
また、図３に示すように、薄型表示装置における表示部支持アーム３０１内に設けられたストッパ部３０４と、表示部支持アーム３０１に内蔵された圧縮コイルばね３０３を含むロック機構３０２とを設けて、ロック機構３０２先端の鍵状部３０６を天板の穴部に位置決め又はロックすることによって転倒防止を図ることを意図した先行技術が提案されている。なお、図１と図３から分かるように、転倒防止機構は表示部の支持アーム３０１と支持脚１０２に亘って設けられており、ここで、転倒防止機構（ロック機構３０２）の支持アームと支持脚とは一体構造であってもよく、また一体的固定構造（ねじ又は接着などで互いに固定）であってもよいものである。換言すると、図３に示すような転倒防止機構は、支持脚の厚みが厚ければ支持脚内に収容されるが、支持脚が薄ければ支持アームの下方部に跨るものである。このことは、以下に説明する本発明の実施形態においても云えることである。
【００１６】
次に、本発明の実施形態に係る薄型表示装置の転倒防止機構について、図４〜図８を参照しながら以下詳細に説明する。図４において、表示装置表示部支持アーム４０１内には、切り欠き部４０７、中央溝部４０８、先端の鍵状部４０６、バネ止め部４１０を有するロック機構４０２と、圧縮コイルバネ４０３と、支持アーム側電源センサー４０４と、ロック機構側電源センサー４０５と、が設置される。ここで、ロック機構４０２は、支持アーム４０１の空洞部に突出したストッパ部と、圧縮コイルバネ４０３及びバネ止め部４１０と、によって図４の下向きに付勢されている。図４に示すように、圧縮コイルバネ４０３はロック機構４０２のバネ止め部４１０と支持アーム４０１のストッパ部との間に間挿されており、ロック機構４０２の先端部には切りかけ部４０７を有する鍵状部４０７が設けられ、鍵状部４０７は複数の放射状の切り欠き部４０７と図示する中央溝部４０８によってロック機構４０２の中心軸の半径方向に伸び縮みするものである。鍵状部４０７に切り欠き部４０７や中央溝部４０８を設けることは一構成例であって、この半径方向に伸び縮みするものであればよく、例えば、鍵状部が弾性材料でできているものであってもよい。
【００１７】
また、支持アーム４０１のストッパ部には電源センサー４０４が設置され、このセンサー４０４に対向するロック機構４０２の位置に電源センサー４０５が設置されている。図４に示す構成例では両スイッチ４０４と４０５は接触している。この両スイッチ４０４，４０５の接触状態では、薄型表示装置の電源をオフにする機能を果たしている。換言すると、図４の図示状態では両スイッチ４０４，４０５は接触していて薄型表示装置の電源はオフになる。
【００１８】
図５は本実施形態に関する薄型表示装置を設置位置から持ち上げた状態、又は転倒した状態における各構成要素の配置関係を示しており、表示部支持アームのストッパー部と圧縮コイルバネ５０３の作用によって、鍵状部５０６をもつロック機構５０２が下方に付勢されている。図示する動作例により表示部支持アーム５０１のストッパー側に取り付けた支持アーム側電源センサー５０４とロック機構５０２に取り付けたロック機構側電源センサー５０５が接することになり、薄型表示装置の電源へと接続することによって、支持アーム側電源センサー５０４、ロック機構側電源センサー５０５が接している時は薄型表示装置の電源をオフにする。そうすると、図５に示す状態は薄型表示装置を持ち上げている状態、あるいは転倒した状態であり電源が入っていた場合でも両センサー５０４，５０５の接触で強制的に薄型表示装置の電源をオフする。仮に、薄型表示装置の転倒時に電源がオンしていると、転倒時の衝撃で電気回路がショートして発火する可能性もあり得るので、本実施形態はこれを回避するものである。
【００１９】
図６は、天板などの設置台６０９に用意された薄型表示装置の例えば配線用の穴部にロック機構６０２を設置することにより、薄型表示装置の設置位置決めが可能であることを示す図である。さらに、ロック機構６０２に用意された切り欠き部（図４の切り欠き部４０７参照）によって弾性変形をしながらロック機構６０２の先端が設置台６０９の穴部を通過後に、再度、ロック機構６０２は弾性変形により設置台６０９をロックする。ロックした状態が図７に示されている。これにより薄型表示装置に設けられた転倒防止のロック機構が設置台７０９にロックし転倒防止を実現することができる。
【００２０】
図７ではネジ止め部７１０が設置台７０９にバネ押圧されて表示部支持アーム（支持アームに延設する支持脚とも云える）が設置台７０９に固定的に設置される。そして、薄型表示装置に衝撃が加わった場合に、鍵状部７０６が設置台７０９の配線用穴部に引っかかることによって、転倒防止機能が果たされることとなる。また、図６の状態は、図７に示すロック状態への途中経過の状態の場合もあるが、鍵状部と設置台穴部との構造的な関連によっては、鍵状部６０６が設置台６０９の穴部に図示の状態でコイルバネによって押圧固定されていれば、図６の状態で表示部支持アームが位置決めされることとなる。そうすると、設置台穴部の大きさにそれほど左右されずに（鍵状部の外周側がテーパー形状であることと相俟って）、表示部支持アームを位置決めできる。図６と図７の状態は、両スイッチ４０４と４０５は非接触であるので、薄型表示装置の電源はオンすることが可能であり、通常の表示動作をさせることができる。
【００２１】
また、図８に示すように、ロック機構８０２は、表示部支持アーム８０１内に格納できるため、本実施形態に関する転倒防止機構を設けた薄型表示装置は、設置台に配線用等の穴が用意されていない場所にも、図示するように設置することが可能となる。さらに、本実施形態に関する転倒防止機構をユニット化すること（ロック機構を支持アームに一体的構造として組み込むこと）により、既存の薄型表示装置に本実施形態のユニット化した転倒防止機構を接着などにより装着した場合も薄型表示装置の転倒を防止することができる。また、本実施形態に関する転倒防止機構は弾性変形を利用し、設置台から容易に取り外すことも可能である。
【００２２】
以上説明したように、本発明の実施形態に係る薄型表示装置の転倒防止機構は、次のような構成、作用を有することを主たる特徴とするものである。すなわち、表示部、表示部を支えるアームの設置脚部に鍵状のロック機構を設け、ロック機構には切り欠き部を設けることにより弾性変形可能とし、圧縮バネ等により設置側の下向きに付勢させ、弾性変形を可能とすることにより配線等を通す穴等にロック機構の先端を通した後に穴部にロックすることができる。さらに、切り欠きを設けたロック機構の鍵状部を弾性変形により簡単にロック解除することができる。
【００２３】
また、ロック機構をアーム設置脚部内に格納可能とすることによって穴の無い天板や直置き等の従来通りの設置も可能とする。さらに、ロック機構部をユニット化することにより単体でコンパクトな転倒防止機構を実現でき、ロック機構をユニット化して既存の薄型表示装置へ接着等による装着を可能にすることにより、既存の薄型表示装置の転倒防止も可能とする。
【００２４】
また、ロック機構、支持アームにそれぞれ接触式のセンサーを取り付け、支持アームを下方に付勢することにより、支持アームの動きから薄型表示装置の設置前あるいは転倒時を認識することができ、これらのセンサーによって設置前あるいは転倒時には薄型表示装置の電源をオフにして転倒による破損に伴う火災などを防ぐことができる。
【図面の簡単な説明】
【００２５】
【図１】一般的な薄型表示装置を背面からみた斜視図である。
【図２】従来技術に関する薄型表示装置の転倒防止機構例を示す図である。
【図３】本発明の実施形態に係る薄型表示装置の転倒防止機構に関する先行技術を示す図である。
【図４】本発明の実施形態に係る薄型表示装置の転倒防止機構の構成を示す図である。
【図５】本実施形態に係る薄型表示装置の転倒防止機構の動作態様を示す図である。
【図６】本実施形態に関する転倒防止機構がロック箇所に位置決めされたときの状態を示す図である。
【図７】本実施形態に関する転倒防止機構が天板にロックされたときの状態を示す図である。
【図８】本実施形態に関する転倒防止機構が天板に直置きで設置されたときの状態を示す図である。
【符号の説明】
【００２６】
１００：転倒防止機構取り付け部、１０１：表示部背面、１０２：表示部支持脚、１０３：天板、２０１：表示部背面、２０２：表示部支持脚、２０３：天板、２０４：転倒防止機構、３０１：表示部支持アーム、３０２：転倒防止ロック機構、３０３：圧縮コイルバネ、３０４：ストッパ部、３０６：鍵状部、４０１：表示部支持アーム、４０２：転倒防止ロック機構、４０３：圧縮コイルバネ、４０４：支持アーム側電源センサー、４０５：ロック機構側電源センサー、４０６：鍵状部、４０７：切り欠き部、４０８：中央溝部、４１０：バネ止め部、
５０１：表示部支持アーム、５０２：転倒防止ロック機構、５０３：圧縮コイルバネ、５０４：支持アーム側電源センサー、５０５：ロック機構側電源センサー、５０６：鍵状部、５０８：中央溝部、５１０：バネ止め部、６０１：表示部支持アーム、６０２：転倒防止ロック機構、６０３：圧縮コイルバネ、６０４：支持アーム側電源センサー、６０５：ロック機構側電源センサー、６０６：鍵状部、６０８：中央溝部、６１０：バネ止め部、
７０１：表示部支持アーム、７０２：転倒防止ロック機構、７０３：圧縮コイルバネ、７０４：支持アーム側電源センサー、７０５：ロック機構側電源センサー、７０６：鍵状部、７０８：中央溝部、７１０：バネ止め部、８０１：表示部支持アーム、８０２：転倒防止ロック機構、８０３：圧縮コイルバネ、８０４：支持アーム側電源センサー、８０５：ロック機構側電源センサー、８０６：鍵状部、８０８：中央溝部、８１０：バネ止め部、
【図１】
2008256967.tif 000003
【図２】
2008256967.tif 000004
【図３】
2008256967.tif 000005
【図４】
2008256967.tif 000006
【図５】
2008256967.tif 000007
【図６】
2008256967.tif 000008
【図７】
2008256967.tif 000009
【図８】
2008256967.tif 000010